(57)【要約】      （修正有）【課題】取り付けが容易で踏み曲げ使用防止効果が高い靴で、さらに履き直しが容易にでき、また、自分の靴と他人の靴との差別化を図る靴を提供する。【解決手段】アッパー１３のかかと部１５に位置する履き口縁部にある履き口を広げるためのベロ部１７を利用して、取っ手機能をもつ固形の取り付け成形体１１を連結する。【選択図】図１
2017029661.tif 000002
【特許請求の範囲】
【請求項１】
アッパーのかかと部に位置する履き口縁部に、履き口を広げるための開口引張り部となるベロ部を有し、前記ベロ部を利用して、取っ手機能をもつ固形の取り付け成形体が連結されていることを特徴とする靴および靴の取り付け成形体。
【請求項２】
履き口の開口引張り部として輪っか形状等の被取り付け機能を成すベロ部を形成し、前記ベロ部の被取り付け機能を持つ輪っか形状を利用して、取っ手機能をもつ固形の取り付け成形体が連結されていることを特徴とする請求項１に記載の靴および靴の取り付け成形体。
【請求項３】
取り付け成形体の取っ手機能として、前記成形体はベロ部との連結部から離れるにつれて取り付け成形体の厚みを増す部分を有する形状としたことを特徴とする請求項１と２に記載の靴および靴の取り付け成形体。
【請求項４】
固形の取り付け成形体は、硬質および軟質のもので、外周のすべての角は、面取りまたはアール加工されていることを特徴とする請求項１から３に記載の靴および靴の取り付け成形体。
【請求項５】
固形の取り付け成形体は、ＪＩＳＫ６２５３による測定でタイプＡ硬度が４０以上で９５以下の材質の材料で成形されたことを特徴とする請求項１から４に記載の靴および靴の取り付け成形体。
【請求項６】
固形の取り付け成形体の背後面に、名前や記号を印刷し、使用者を特定するための表示がなされていることを特徴とする請求項１から５に記載の靴および靴の取り付け成形体。
【請求項７】
輪っか形状を持つベロ部と、取っ手機能をもつ固形の取り付け成形体との連結には、弾性と柔軟性のある連結バンドを用いたことを特徴とする請求項１から６に記載の靴および靴の取り付け成形体。
【請求項８】
固形の取り付け成形体には、蓄光性のものを含有した材料で成形、または印刷することを特徴とする請求項１から７に記載の靴および靴の取り付け成形体。
【発明の詳細な説明】
【技術分野】
【０００１】  本発明は、靴の中でも特に子供が使用する室内靴や運動靴等の比較的軟らかい靴で、靴を履くときにかかと部を踏みつけて正規でない履き方をすると、使用者に正しくない履き方をしていることを認識させることができ、また、他人の靴との差別化が容易にできる靴と靴の取り付け成形体に関する。
【背景技術】
【０００２】  低学年の子供が学校や幼稚園で使用する室内靴や運動靴は、一般に大人用の皮靴などと違ってアッパーのかかと部も比較的軟らかく、そのため子供や学生等はアッパーのかかと部を踏みつけて曲げた状態で、スリッパの様にして履くことがある。このような履き方は、子供の躾上好ましくないし、学童の教育上も好ましくなく、歩行中に転倒を誘発させるため、園内や校内で活動するにも運動するのにも危険である。また、靴も傷みやすく経済的にも出費が多くなることになり、さらには、知らず知らずに体重の重心が足裏の面に均等にかからず、偏った状態となるために、一方または両側の足の脛に負担がかかり痛めるとの報告もある。【０００３】  従来、以上のような観点から、子供等がかかとを踏み曲げて履くことを防止する靴として、特許文献１のように、靴の甲皮のかかと部に縦の補強帯に突起を装着させたものがある。また、特許文献２のように、ヒール部の外側に、踏み潰し防止用の突起部を着脱可能に設けてなるものが仕付け用靴として開示されている。【０００４】  しかし、特許文献１では、突起を補強帯に装着する場合、その装着が実質上縫い付けとなり、取り付けが困難で手間のかかる製造工程を要する。また、突起が補強帯状に沿って縦方向に一個、または数個取り付けられるだけとなり、少し斜めに踏み曲げて履けば違和感もなく履けるため、効果の面で若干問題があった。【０００５】  また、特許文献２では、靴のかかと部のセンター外面に突起部を設けることは特許文献１と同じであり、少し斜めに踏み曲げて履けば違和感もなく履けるため効果の面で若干問題である。また、突起部の取り付けが着脱自在となる、面ファスナー、磁石、凹凸ホック等を設けた構成、またはヒール部に設けた伸縮性のゴムバンドや袋体で突起部を着脱自在に装着する構成を採用しているが、突起部を設けるための特別な構成を必要とするために製造工程が特許文献１よりもさらに困難となり、また、面ファスナーや磁石等では、靴を履く時に安易に突起が外れてしまう問題がある。【０００６】  上記の課題を解決するため特許文献３には、かかと部に複数個の突起を横方向に形成したシートを、横方向へ拡がって位置するようにして取り付けたものが開示されている。【０００７】  しかし、横方向への突起は確かに少し斜めに履いたとしても足のかかとに突起物が当たり違和感を生じることになるが、かかと部の上方部を軽く踏んで折り曲げて歩く場合には、違和感が少なく、また、上部のみが内側に折曲がっていたとしても突起部がかかとに当たることもなく、履き直しする必要性がなくなる。また、履き直しをするにも、上部が内側に曲がってしまっていると、横方向に形成したシート状のものが固くて、容易に履き直しができない問題があった。さらには、特許文献１と同じく、シート状のものは、縫い付ける必要があり、製造工程で手間がかかるという問題があった。
【先行技術文献】
【特許文献】
【０００８】
【特許文献１】実開平２−１０５７０８号公報
【特許文献２】実願２００４−２８８号公報
【特許文献３】実開平４−５４２１３号公報
【発明の概要】
【発明が解決しようとする課題】
【０００９】  本発明は、上記従来技術の欠点を解消し、取り付けが容易で、かつ、踏み曲げ使用防止効果も高い靴で、さらに履き直しが容易にでき、また、自分の靴と他人の靴との差別化を図ることで取り間違えを防止できる効果も有する靴と靴の取り付け成形体を提供するのが目的である。
【課題を解決するための手段】
【００１０】  前記課題を解決するために、本発明の第１の態様にかかる靴と靴の取り付け成形体は、アッパーのかかと部に位置する履き口縁部に、履き口を広げるための開口引張り部となるベロ部を有し、前記ベロ部を利用して、取っ手機能をもつ固形の取り付け成形体が連結されているものである。【００１１】  この構成によれば、かかと部を踏みつけて靴を履くと、アッパーのかかと部の履き口縁部に位置するベロ部に連結する固形の取り付け成形体が、ベロ部とともに靴の履き口側に入り込み、使用者の足のかかとの裏に当たるため違和感が生じるので、履き直しを警告することとなる。そこで、履き直しを試みる場合には、履き口を広げるためのベロ部と連結する固形の取り付け成形体を取っ手部として指先で掴み、引っ張るだけで履き口を広げることができ、極めて容易に履き直しが可能となるものである。【００１２】  また、本発明の第２の態様にかかる靴と靴の取り付け成形体は、履き口の開口引張り部として輪っか形状等の被取り付け機能を成すベロ部を形成し、前記ベロ部の被取り付け機能を持つ輪っか形状を利用して、取っ手機能をもつ固形の取り付け成形体が連結されているものである。【００１３】  この構成によれば、ベロ部の被取り付け機能を持つ輪っか形状等を介して容易に取っ手機能を持つ固形の取り付け成形体を連結させることができ、また、取り外すのも容易にできる。また、一般的に子供靴として販売されている靴は、輪っか形状等を成すベロ部を有しており、被取り付け機能を持つので、そのような靴へも自在に着脱ができる。すなわち、一つの固形の取り付け成形体は、複数の靴に兼用が可能であり、踏みつけて履く癖がなくなれば取り外しも容易であり、固形の取り付け成形体を他の靴に取り換えて使用することもできる。【００１４】  また、本発明の第３の態様にかかる靴と靴の取り付け成形体は、取り付け成形体が取っ手機能として有効に作用するために、ベロ部との連結部から離れるにつれて取り付け成形体の厚みを増す部分を有する形状としたものである。【００１５】  この構成によれば、ベロ部を引っ張って履き口部を広げて履く場合、引っ張る方向に対して厚みが増した形状であるために指の引っ掛かりも良く、指圧が低い子供でも容易にベロ部を引っ張ることができ、履き口を大きく広げることができ、靴が容易に履くことができるものである。【００１６】  また、本発明の第４の態様にかかる靴と靴の取り付け成形体は、前記固形の取っ手部機能を有する取り付け成形体が、硬質および軟質の素材で成形されたもので、外周のすべての角は、面取りまたはアール加工されているものである。【００１７】  この構成によれば、子供が靴のかかとを踏みつけて履いた場合に、固形の成形体を踏みつけても、大きな違和感が生じるものの、成形体の角で足の裏や指先を痛めることはなく、安全な靴と靴の取り付け成形体として提供するものである。【００１８】  また、本発明の第５の態様の靴と靴の取り付け成形体は、前記の取っ手部機能を有する固形の取り付け成形体は、ＪＩＳＫ６２５３による測定でタイプＡ硬度が４０以上で９５以下の材質の材料で成形されたものである。【００１９】  この構成によれば、ＪＩＳＫ６２５３による測定でタイプＡ硬度が���０以下では、単にスポンジやクッション材のような感覚であり、履き直しを強制するほどのものではなくなり、少しの違和感があるもののそのまま履き続ける割合が多くなり、効果が弱くなるものである。また、ＪＩＳＫ６２５３による測定でタイプＡ硬度が９５以上の成形体では、材質がカチカチであるため、素足で個体を思いっきり踏みつけると足裏に大きな衝撃がかかり足裏の皮膚や骨等に異常をきたすことがある。よって、ＪＩＳＫ６２５３による測定でタイプＡ硬度が４０以上で９５以下にすることで、履き直しを警告する効果が顕著に出て、かつ安全な靴の取り付け成形体を提供するものである。【００２０】  また、本発明の第６の態様にかかる靴と靴の取り付け成形体は、靴の取り付け成形体の背後面に名前や記号を印刷し、または刻印して明確に使用者を特定するための表示がなされているものである。【００２１】  この構成によれば、学校や幼稚園等での集合下駄箱において、同じ靴が並び非常に間違いやすい環境にあっても、靴の取り付け成形体が有るか無いかでの区別だけでなく、見やすい靴の背後面に自分の靴であることを差別化できる名前や記号があることで、他人の靴と取り間違えることがなくなる。【００２２】  また、本発明の第７の態様にかかる靴と靴の取り付け成形体は、輪っか形状を持つベロ部と、取っ手機能をもつ固形の取り付け成形体との連結に、弾性と柔軟性のある連結バンドを用いたものである。【００２３】  この構成によれば、連結バンドが弾性を持ち柔軟性があることで、適度な弾性は成形体を引っ張ることでベロ部に効率よく力が加わり、靴の履き口を確実に広げることとなり、靴が履きやすくなる。また、連結バンドの適度な柔軟性はベロ部に成形体を取り付ける連結作業を容易にするとともにベロ部の背後部で揺動させる効果を持つ。【００２４】  また、本発明の第８の態様の靴と靴の取り付け成形体は、固形の靴の取り付け成形体を蓄光性のものを含有した材料で成形するか、または蓄光性のインキを用いて成形体の背後に印刷するものである。【００２５】  この構成によれば、靴の取り付け成形体は、靴の背後部に位置するベロ部に連結して取り付けてあるため、夜中でも靴のかかと部が明るく光り、歩くごとに微妙な動きを呈し、車の光を乱反射させるため、後ろから来た車から蓄光の光がよく見えることにより安全対策となるものである。【００２６】    なお、本発明において「アッパー」という用語は、靴を上下２つに分割した時、靴底に対し上部のことを指すものである。
【発明の効果】
【００２７】    以上のように、本発明の靴と靴の取り付け成形体は、かかと部を踏みつけて靴を履くと、アッパーのかかと部の履き口縁部に位置するベロ部に連結する固形の取り付け成形体が、ベロ部とともに靴の履き口側に入り込み、使用者の足のかかとの裏に当たるため違和感が生じるので、履き直しを警告することとなる。そこで、履き直しを試みる場合には、履き口を広げるためのベロ部と連結する固形の取り付け成形体を取っ手部として指先で掴み、引っ張るだけで履き口を広げることができ、極めて容易に履き直しが可能となるものである。【００２８】  よって、低学年の子供が学校や幼稚園で使用する室内靴や運動靴に本発明の靴と靴の取り付け成形体を採用することで、子供や学生等はアッパーのかかと部を踏みつけて曲げた状態で、スリッパの様にして履くことがなくなり、正しい履き方を自然に学ぶことになる。また、転倒を誘発させることがなく、園内や校内での活動が安全となり、また、靴も傷みにくく、経済的にも有利で、足の脛に負担がかかることもなく足を痛めることもなくなる。さらに、取り付け成形体に名前や記号を入れておくことで差別化ができ、他人の靴と間違うことがなくなる。また、蓄光性の樹脂やインキで、取り付け成形体を成形したり、表示部に印刷することで、夜間にも気が付きやすくなり交通事故から守れる靴を提供するものである。
【図面の簡単な説明】
【００２９】
【図１】第一実施態様の靴と靴の取り付け成形体を示した斜視図である。
【図２】第一実施態様の靴の取り付け成形体の拡大斜視図である。
【図３】第二実施態様の靴の取り付け成形体の拡大斜視図である。
【図４】第二実施態様の靴の取り付け成形体の横断面図である。
【図５】第三実施態様の靴の取り付け成形体の横断面図である。
【図６】第四実施態様の靴の取り付け成形体の縦断面図である。
【発明を実施するための形態】
【００３０】  本発明の靴と靴の取り付け成形体について、図面を用いてより具体的に説明する。
【００３１】  図１は、第一実施態様の靴１０と靴１０の取り付け成形体１１を示した斜視図であり、図２は、第一実施態様の靴１０の取り付け成形体１１の拡大斜視図である。
【００３２】  図３は、第二実施態様の靴１０の取り付け成形体４１の拡大斜視図であり、図４は、第二実施態様の靴１０の取り付け成形体４１の横断面図である。
【００３３】  図５は、第三実施態様の靴１０の取り付け成形体６１横断面図である。
【００３４】  図６は、第四実施態様の靴１０の取り付け成形体８１の縦断面図である。
【００３５】  以下においては、第一実施態様の靴１０と靴１０の取り付け成形体１１と、第二実施態様の靴１０と靴１０の取り付け成形体４１と、第三実施態様の靴１０と靴１０の取り付け成形体６１と、第四実施態様の靴１０と靴１０の取り付け成形体８１について順番に説明するが、本発明の技術的範囲はこれらの実施態様に限定されることなく、その趣旨に反しない限り、適宜変更を加えることができる。
【００３６】  まず、第一実施態様の靴１０と靴１０の取り付け成形体１１について図１と図２でもって説明する。
【００３７】  第一実施態様の靴１０と靴１０の取り付け成形体１１は、図１と図２に示すように、靴１０は、靴底１２とアッパー１３の二つの部材で構成されており、使用者が靴１０を履く時に足先を入れる開口した履き口１４を有するアッパー１３は靴底１２の上面部を覆うように位置してなる。
【００３８】  また、アッパー１３のかかと部１５に位置する履き口１４の縁部１６には、履き口１４を広げるための引張り部となるベロ部１７があり、このベロ部１７にはアッパー１３のかかと部１５の補強生地帯１８の生地が折り返しにて構成される輪っか部１９が形成されている。
【００３９】  その輪っか部１９と靴１０の取り付け成形体１１の通し穴２０とに連結バンド２１を通して連結バンド２１の両端を結ぶことにより、ベロ部１７と取り付け成形体１１とが連結されている。
【００４０】  なお、靴１０の取り付け成形体１１に形成された通し孔２０は、円錐台状の貫通孔であり、一方の通し孔２０の大きさは連結バンド２１の両端を結んだ結び目２２でも挿入できる大きさであり、他方の通し孔２０の大きさは、連結バンド２１の外径よりも大きく、且つ、連結バンド２１の両端を結んだ結び目２２では通過しない大きさの孔径となっている。
【００４１】  また、靴１０の取り付け成形体１１の形状は概立方体であり、横穴として貫通する通し穴２０に対し、ベロ部１７に近い前方部２３は薄く、背後部２４は厚くなるように縦断面が台形状となっている。
【００４２】  また、靴１０の取り付け成形体１１の背後部２４の背後面２５には、明確に使用者を特定するための名前や記号が印刷され、または刻印してなる表示部２６が配置されている。
【００４３】  また、連結バンド２１は、フレキシブルなゴムひもで構成されており、靴１０の被取り付け機能を有するベロ部１７の輪っか部１９と、靴１０の取り付け成形体１１の通し孔２０に連結バンド２１を通した後で、連結バンド２１の両端を結び、結び目２２を形成したのちに、通し孔２０の大きいほうの孔から挿入した状態とすることで、靴１０のベロ部１７と取り付け成形体１１とが連結されている。
【００４４】  また、靴１０の取り付け成形体１１は、軟質の熱可塑性の樹脂で射出成形されたもので、硬度はＪＩＳＫ６２５３に準じた測定でタイプＡ硬度がＡ７０の材料を用いた。実際用いた樹脂は、印刷性と柔軟性を考慮し、東洋紡社の熱可塑性ポリエステルエラストマーとして市販されているペルプレンＰタイプのＰ３０Ｂを用いた。また、すべてのエッジには大きな面取りまたはアールを形成した。
【００４５】  また、取り付け成形体１１の背後部２４の背後面２５には表示部２６があり、通常は名前が記載されている。本実施の態様ではのり付のラベルに名前をカラープリンターで印刷したものを貼り付けているが、蓄光性のインキを利用することもある。
【００４６】  また、蓄光性の樹脂としては、先の熱可塑性ポリエステルエラストマーに蓄光性の顔料を混ぜ作成した。顔料は、根本特殊化学社製の蓄光顔料を使用し、１０重量％程度を樹脂に混ぜ、射出成形で靴１０の取り付け成形体１１を得た。
【００４７】  次に、この構成の靴１０と靴の取り付け成形体１１の作用について説明する。
【００４８】  まず、子供等の使用者が靴１０を履く場合、右の靴１０の履き口１４に右足の指先を入れ、靴１０の取り付け成形体１１を指で掴んで引張り、連結するベロ部も引っ張られるために履き口が大きく広がり、右足のかかとが容易に靴１０の靴底に滑り込む。図示していないが左足の靴も同様にして履くことにより容易に正しく履くことができる。
【００４９】  すなわち、靴１０の取り付け成形体１１の形状は概立方体であり、横孔として貫通する通し孔２０に対し、ベロ部１７に近い前方部２３は薄く、背後部２４は厚くなる台形状となっているので、子供の指圧でもしっかりと取り付け成形体１１を掴み引っ張ることができ、連結されるベロ部１７も引っ張られ、効率よく履き口１４を大きく広げることが可能となる。
【００５０】  また、連結バンド２１の結び目２２は靴の取り付け成形体１１に設けられた通し孔２０に圧入収納されており通常は外から見えない状態であり、一方の孔が結び目２２よりも小さいため結び目２２の動きが制限され、外観は非常に端正に整った状態でファッション性もあり見栄えが良くなる。
【００５１】  また、通し孔２０の一方の孔の入り口は結び目２２よりも大きくなっており、容易に挿入が可能であるとともに、孔の径が徐々に小さくなる円錐台形状であるため、奥に行けば圧入状態となり固定され、必要に応じて取り付け成形体１１を取り外すには、逆側に連結バンド２１を移動させることで容易に結び目２２を通し孔２０の外に出すことができ、結び目２２を解けば取り付け成形体１１を外すこともできる。
【００５２】  また、取り付け成形体１１の背後部２４の背後面２５には表示部２６があり、通常は名前が記載されている。よって、集合下駄箱に靴の背面を向けて入れた場合、取り付け成形体１１の背後面２５が手前を向くことになり、誰の靴であるかを明確に判断でき、取り違えることも無くなる。
【００５３】  さらに、取り付け成形体１１が蓄光性のある樹脂で成形されているので、連結バンド２１でのベロ部１７への連結のため、取り付け成形体１１が歩くことにより、また、走ることにより、かかと部１５で微妙な揺れを呈し、夜や暗がりにおいても、効果的に後ろから来る車の運転手等に知らせることができ安全性も高まるものである。
【００５４】  次に、第一実施態様の靴１０と靴１０の取り付け成形体１１の靴が、正しく履かれなかった場合の作用について説明する。
【００５５】  すなわち、使用者が靴のかかと部１５を折り曲げて履いた場合、取り付け成形体１１がなく、ベロ部だけであれば、特に違和感もなく、そのままスリッパ状態のもまま履き続けることになり、靴のかかと部が変形して傷みやすく、また、靴が脱げやすく、足が直に地べたや床に接することによりけがをする確立が増える。また、かかと部１５を踏みつけた状態で生活していると、多少の違和感を生じているため、知らず知らずに足の裏に均等な体重がかけられておらず、足の脛に負担がかかり痛くなることも考えられる。
【００５６】  しかしながら、本発明の第一実施態様では、ベロ部１７に取り付け成形体１１が連結されているために、折り曲げて履くと、固形の取り付け成形体１１も同時についてくるために、ベロ部１７とともに固形の取り付け成形体１１も踏みつけることとなる。
【００５７】  よって、厚みのある個体の取り付け成形体１１も含めて踏みつけて歩き続けることは困難であり、どうしても履きなおす必要に迫られる。従来は、履きなおすためには、折り曲げられ、靴底にへばりついたベロ部１７を持ち上げて、小さなすべりやすいベロ部１７を掴み、履き口１４を広げて苦労して履く必要があったが、ベロ部に連結されている取り付け成形体１１があれば、靴底１２上面に乗っかった状態であり、取り出しやすく、掴みやすく、力が指先にかかりやすい形状であるため、効率よく容易に履き直しができることとなる。
【００５８】  本発明の第一実施態様では、靴１０の取り付け成形体１１を、ＪＩＳＫ６２５３に準じて測定した時のタイプＡ硬度が７０である軟質の熱可塑性エラストマー樹脂を射出成型して使用しているが、材料や加工方法を限定するわけでなく、要望に応じて、他の射出成型用樹脂や、熱硬化性の加硫ゴムをプレス成型で作成しても良く、また、各コーナーの面取りやアールを大きくとっていれば比較的硬質の樹脂を使用しても差しさわりはない。
【００５９】  また、本発明の第一実施態様では、樹脂に蓄光性の顔料を混入し、靴１０の取り付け成形体１１を夜中でも光らせ、安全性を確保しようとしているが、背後面２５の表示部２６のラベルへの印刷に蓄光性のインキを用いて光らせることもできる。
【００６０】  また、他人の靴との取り違えを防止するために、背後面２５の表示部２６としてラベル使用し、ラベルには名前を印刷することを記載しているが、記号や特殊なマークでの表示でも良く、差別化を図ることが狙いとなる。
【００６１】  次に、第二実施態様の靴の取り付け成形体４１について図３と図４を参考に説明する。
【００６２】    第二実施態様の靴１０の取り付け成形体４１は、図３と図４で示すように、外形は第一実施態様の取り付け成形体１１と同じであるが、靴１０の取り付け成形体４１に設けられた通し孔４２は、孔径が２段階となる孔で構成されている。一方の通し孔Ａ４３の大きさは、連結バンド２１の両端を結んだ結び目２２が挿入できる大きさであり、他方の通し孔Ｂ４４の大きさは、連結バンド２１の外径よりもやや大きく、且つ、連結バンド２１の両端を結んだ結び目２２が通過できない孔径となり、通し孔４２の長さに対してほぼ中央のところで段差４５が形成される形状である。
【００６３】  なお、その他の、取り付け成形体４１のベロ部１７との取り付け方法や、取っ手機能を発揮するのに概立方体の形状でベロ部１７に近い前方部２３は薄く背後部２４は厚くなる台形状となっている点、各コーナー部のアールの取り方、取り付け成形体４１に使用されている樹脂材料や、連結バンド２１の構成、さらに背後部の表示部の構成については、第一実施態様の靴と靴の取り付け成形体１１と同じであり、その説明は省略する。
【００６４】  次に、この構成の靴と靴の取り付け成形体４１の作用について説明する。
【００６５】  第一実施態様と同様に、連結バンド２１は、フレキシブルなゴムひもで構成されており、靴１０のベロ部１７の輸っか部１９と、靴１０の取り付け成形体４１の通し孔４２に連結バンド２１を通した後で、連結バンド２１の両端を結び、結び目２２を形成したのちに、通し孔４１の大きいほうの通し孔Ａ４３から挿入した状態とすることで、靴１０のベロ部１７と取り付け成形体４１とが連結されている。
【００６６】  連結バンド２１の結び目２２は靴１０の取り付け成形体４１に設けられた通し孔Ａ４３に圧入収納されており通常は外から見えない状態である。一方の通し孔Ｂ４４は結び目２２よりも小さいため、連結バンド２１を通し孔Ｂ４４から引っ張っても、中央の段差４５のところで結び目２２の動きが制限されており、外観は非常に端正に整った状態でファッション性も良く見栄えが良くなる。
【００６７】  また、通し孔４２の大きいほうの通し孔Ａ４３は、結び目２２よりも大きくなっており、容易に挿入が可能であるとともに、通し孔４２の中央部の段差４５に当たり固定されるが、必要に応じて取り付け成形体４１を取り外すには、通し孔Ａ４３側に連結バンド２１を引っ張ることで結び目２２を通し孔４２の外に出すことができ、結び目２２を解けば取り付け成形体４１をベロ部１７から外すこともできる。
【００６８】    なお、靴１０の取り付け成形体４１が連結された靴１０の正しい履き方や履き直しするときの状況での作用と効果については、第一実施態様の靴１０と靴の取り付け成形体１１と同じであり、その説明は省略する。
【００６９】  次に、第三実施態様の靴１０と靴１０の取り付け成形体６１について図５でもって説明する。
【００７０】  第三実施態様の靴１０の取り付け成形体６１は、図５に示すように、二枚貝の状態であり、上蓋６２と下蓋６３とがヒンジ６４で一体に結合されている。上蓋６２には突起となる凸部６５が設けられており、下蓋には凹部６６が設けられ、上蓋６２と下蓋６３とは上蓋６２の凸部６５を下蓋６３の凹部６６に差し込むことにより、上蓋６２と下蓋６３とが結合して靴１０の取り付け成形体６１としての機能を発揮する。
【００７１】  上蓋６２と下蓋６３とが結合した状態で、靴１０の取り付け成形体６１は、連結バンド２１を通す通し孔６７が形成されるが、結合してなる取り付け成形体６１の機能や材料および構成等については、第一実施態様の靴１０の取り付け成形体１１と同じであり、その説明は省略する。
【００７２】  次に、この構成の靴１０と靴１０の取り付け成形体６１の作用について説明する。
【００７３】  第一実施態様と同様に、連結バンド２１は、フレキシブルなゴムひもで構成されており、靴１０のベロ部１７の輪っか部２１と、靴１０の取り付け成形体６１の通し孔６７に連結バンド２１を通した後で、連結バンド２１の両端を結び、結び目２２を通し孔６７に挿入した状態とすると、外観は非常に端正に整った状態でファッション性も良く見栄えが良くなる。
【００７４】  ただし、第三の実施態様の靴１０と靴の取り付け成形体６１では、上蓋６２と下蓋６３とが結合した状態ではじめて連結バンド２１を通す通し孔６７が形成されるので、連結バンド２１を結んで結び目２２が先にある状態でも、あとから取り付け成形体６１を上蓋６２と下蓋６３とを結合することにより取り付けができる。すなわち、結び目２２の位置に合わせて通し孔６７部を合わせれば、結び目２２を隠すことが容易にできるものである。また、必要に応じて取り付け成形体６１を取り外す場合には上蓋６２と下蓋６３とを開放することにより、取り付け成形体６１をベロ部１７から外すこともできる。
【００７５】    なお、靴１０の取り付け成形体６１が連結された靴１０の正しい履き方や履き直しするときの状況での作用と効果については、第一実施態様の靴１０と靴の取り付け成形体１１と同じであり、その説明は省略する。
【００７６】  次に、本発明の第四実施態様の靴１０と靴１０の取り付け成形体８１について図６でもって説明する。
【００７７】  第四実施態様の靴１０と靴１０の取り付け成形体８１は、図６に示すように、筒状の本体８２とねじ蓋８３との２つの部品に分割されている。筒状の本体８２の開口部８４内側には雌ねじ山８５が切られ、ねじ蓋８３の挿入部８６外周には雄ねじ山８７が切られている。ねじ蓋８３の中心軸部８８には連結バンド２１のゴムひもが通る程度の貫通孔８９が、筒状の本体８２の底面部９０にも連結バンド２１のゴムひもが通る程度の小孔９１が形成されている。連結バンド２１の一方の端部を貫通孔８９から通し、端部を丸結びで留め部Ａ９２を設け、また、もう一方の連結バンド２１の端部を筒状の本体８２の小孔９１から通し、同じく端部を丸結びで留め部Ｂ９３を設けることにより、筒状の本体８２とねじ蓋８３とが繋がった状態となっている。
【００７８】  上記の靴の取り付け成形体８１は、靴１０の被取り付け機能を有するベロ部１７の輪っか１９に、連結バンド２１がついた状態でねじ蓋８３を通した後、ねじ蓋８３の挿入部８６の雄ねじ山８７を、筒状の本体８２の開口部８４の雌ねじ山８５に勘合して連結させる。
【００７９】  ねじ蓋８３が筒状の本体８２と勘合された状態で靴１０の取り付け成形体８１は、ベロ部１７と連結されることになるが、各コーナー部のアールの取り方、取り付け成形体８１に使用されている材料や、連結バンド２１の構成等については、第一実施態様の靴１０と靴１０の取り付け成形体１１と同じであり、その説明は省略する。
【００８０】  ただし、靴１０の取り付け成形体８１の形状は筒状であり、概立方体とはなっていないが、筒状のものはそのままでも指先で持ちやすく取っ手機能として十分役立つものである。
【００８１】  次に、この構成の靴１０と靴の取り付け成形体８１の作用について説明する。
【００８２】  上記の靴１０の取り付け成形体８１は、靴１０のベロ部１７の輪っか１９に、連結バンド２１がついた状態で、ねじ蓋８３を輪っか部１９に通した、その後、筒状の本体８２の開口部８４の雌ねじ山８５に勘合して連結させる。よって、結び目２２は全く外からは見えなくなり、簡単に外観は非常に端正に整った状態でファッション性も良く見栄えが良い取り付け成形体８１を得ることができる。
【００８３】    なお、靴１０の取り付け成形体８１が連結された靴１０の正しい履き方や履き直しするときの状況での作用と効果については、第一実施態様の靴１０と靴の取り付け成形体１１と同じであり、その説明は省略する。
【００８１】  本発明は、実施の態様で示した様に、低学年の子供が学校や幼稚園で使用する室内靴や運動靴で、子供や学生等がアッパー１３のかかと部１５を踏みつけて曲げた状態で、スリッパの様にして履くことを防止するのが狙いであるが、そのほかにも、ベロ部１７を引っ張って履くよりも、この取り付け成形体が有ると引っ張りやすく大人でも履きやすいものであり、また、他人の靴との差別化や飾りとしてのファッション性も兼ね備えるものであり、大人用の靴にも応用展開が可能である。
【符号の説明】
【００８２】  １０・・・靴、１１、４１、６１、８１・・・取り付け成形体、１３・・・アッパー、１４・・・履き口、１５・・・かかと部、１６・・・縁部、１７・・・ベロ部、１９・・・輪っか、２０・・・通し孔、２１・・・連結バンド、２５・・・背後面、２６・・・表示部、
【図１】
2017029661.tif 000003
【図２】
2017029661.tif 000004
【図３】
2017029661.tif 000005
【図４】
2017029661.tif 000006
【図５】
2017029661.tif 000007
【図６】
2017029661.tif 000008